(57)【要約】【課題】内装容器を外容器内に確実にセットできる二重容器を提供する。【解決手段】内装容器２の肩部材１６には、外容器３の口部３ｂが有する第１係合凹部３１に係合して内装容器２及び外容器３の容器軸回りの相対移動を規制する第１係合突部２１が突設され、第１係合突部２１には、容器軸に直交する径方向の外側に向けて第２係合突部３５が突設され、容器軸と第２係合突部３５との径方向の距離Ｒ１が、容器軸と雌ねじ部３３ａにおけるねじ山の頂部との径方向の距離Ｒ２以上となっていることを特徴とする。【選択図】図４
2014005074.tif 000002
【特許請求の範囲】
【請求項１】
内容物が収容される内装容器と、
該内装容器を収納するとともに、口部の外周面に雄ねじ部が形成された外容器と、
該外容器に着脱自在に装着され、前記内装容器を前記外容器に固定する肩カバーと、を備え、
前記肩カバーは、前記外容器の前記雄ねじ部に螺着される雌ねじ部を有する螺着筒を有し、
前記内装容器の肩部、及び前記外容器の前記口部のうち何れか一方には、他方が有する第１係合凹部に係合して前記内装容器及び前記外容器の容器軸回りの相対移動を規制する第１係合突部が突設され、
前記内装容器の前記肩部には、容器軸に直交する径方向の外側に向けて第２係合突部が突設され、
容器軸と前記第２係合突部との径方向の距離が、容器軸と前記雌ねじ部におけるねじ山の頂部との径方向の距離以上となっていることを特徴とする二重容器。
【請求項２】
前記第１係合突部は、前記内装容器の前記肩部に形成され、
前記第１係合凹部は、前記外容器の前記口部に形成されるとともに、径方向に貫き、かつ容器軸方向に沿う前記外容器の外側に向いて開口し、
前記雄ねじ部は、前記第１係合凹部により周方向に分断され、
前記第２係合突部は、前記第１係合突部に形成されていることを特徴とする請求項１記載の二重容器。
【請求項３】
前記第１係合突部と前記第１係合凹部とが係合された際、径方向の外側から見た側面視において、前記第２係合突部は、前記雄ねじ部のねじ山の仮想延長線上に位置し、前記雄ねじ部の一部を構成していることを特徴とする請求項２記載の二重容器。
【発明の詳細な説明】
【技術分野】
【０００１】
本発明は、二重容器に関する。
【背景技術】
【０００２】
従来から、内容物が収容される内装容器と、内装容器を収納するとともに、口部の外周面に雄ねじ部が形成された外容器と、外容器に着脱自在に装着され、内装容器を外容器に固定する有頂筒状の肩カバーと、を備えた二重容器が知られている。
また、内装容器には、外容器の口部に形成された切欠き部内に保持される突部が形成され、これにより内装容器及び外容器の容器軸回りの相対移動が規制されている（例えば、下記特許文献１参照）。
【先行技術文献】
【特許文献】
【０００３】
【特許文献１】特開２００４−１０６９３９号公報
【発明の概要】
【発明が解決しようとする課題】
【０００４】
しかしながら、上述した従来の二重容器では、内装容器の突部が外容器の切欠き部内に保持されていない状態で、肩カバーが組み付けられる虞があった。この場合、外容器内における正規の位置に内装容器を配置できず、内装容器が外容器内でがたつく等、内装容器のセット不良が生じる虞がある。
【０００５】
そこで、本発明は、上述した事情に鑑みてなされたものであって、その目的は、内装容器を外容器内に確実にセットできる二重容器を提供することである。
【課題を解決するための手段】
【０００６】
上記課題を解決するために、本発明は以下の手段を提案している。
本発明に係る二重容器は、内容物が収容される内装容器と、該内装容器を収納するとともに、口部の外周面に雄ねじ部が形成された外容器と、該外容器に着脱自在に装着され、前記内装容器を前記外容器に固定する肩カバーと、を備え、前記肩カバーは、前記外容器の前記雄ねじ部に螺着される雌ねじ部を有する螺着筒を有し、前記内装容器の肩部、及び前記外容器の前記口部のうち何れか一方には、他方が有する第１係合凹部に係合して前記内装容器及び前記外容器の容器軸回りの相対移動を規制する第１係合突部が突設され、前記内装容器の前記肩部には、容器軸に直交する径方向の外側に向けて第２係合突部が突設され、容器軸と前記第２係合突部との径方向の距離が、容器軸と前記雌ねじ部におけるねじ山の頂部との径方向の距離以上となっていることを特徴とする。
【０００７】
このような特徴により、内装容器を外容器内に収納したときに、仮に、内装容器の肩部及び外容器の口部のうちの何れか一方に設けられた第１係合突部と、他方が有する第１係合凹部と、が係合せず、当該他方における第１係合凹部の非形成部分上に第１係合突部が乗り上がっていたとしても、外容器に肩カバーを組み付ける過程において、肩カバーと外容器とを締め付け側へ相対回転させると、肩カバーの雌ねじ部が内装容器の肩部に突設された第２係合突部に係合（例えば、容器軸方向や周方向）して、肩カバーと内装容器とが容器軸回りに共回りする。そして、肩カバー及び内装容器の外容器に対する回転に伴い、内装容器及び外容器のうちの何れか一方に突設された第１係合突部が、他方における上述した非形成部分上を摺動し、第１係合突部と第１係合凹部とが自然に係合することになる。
これにより、外容器内に内装容器を確実にセットすることができる。
さらに、このように肩カバー及び内装容器の外容器に対する回転に伴い、第１係合突部と第１係合凹部とが自然に係合することになるので、従来のように外容器の切欠き部内に内装容器の突部を保持させた状態で、外容器内に内装容器を収納させておく必要がなく、第１係合突部と第１係合凹部とを間単に係合させることができる。その結果、操作性を向上させた上で、外容器内に内装容器を確実にセットすることができる。
【０００８】
また、上記本発明の二重容器において、前記第１係合突部は、前記内装容器の前記肩部に形成され、前記第１係合凹部は、前記外容器の前記口部に形成されるとともに、径方向に貫き、かつ容器軸方向に沿う前記外容器の外側に向いて開口し、前記雄ねじ部は、前記第１係合凹部により周方向に分断され、前記第２係合突部は、前記第１係合突部に形成されていてもよい。
【０００９】
この場合には、上述した作用効果が顕著に奏功される。
【００１０】
また、上記本発明の二重容器において、前記第１係合突部と前記第１係合凹部とが係合された際、径方向の外側から見た側面視において、前記第２係合突部は、前記雄ねじ部のねじ山の仮想延長線上に位置し、前記雄ねじ部の一部を構成していてもよい。
【００１１】
この場合には、第１係合突部と第１係合凹部とが係合すると、第２係合突部が、径方向の外側から見た側面視において、雄ねじ部のねじ山の仮想延長線上に配設されるので、第２係合突部が外容器の雄ねじ部の一部を構成することになり、第２係合突部を設けたことで外容器に対する肩カバーの着脱が阻害されてしまうのを防ぐことができる。
【発明の効果】
【００１２】
本発明に係る二重容器によれば、内装容器を外容器内に確実にセットできる。
【図面の簡単な説明】
【００１３】
【図１】本発明の実施形態における二重容器の側面図である。
【図２】内装容器の側面図である。
【図３】肩カバーの部分断面図である。
【図４】二重容器の要部断面図である。
【発明を実施するための形態】
【００１４】
以下、図面を参照し、本発明の実施形態に係る二重容器を説明する。
図１に示すように、本実施形態の二重容器１は、有底筒状の内装容器２と、内装容器２を着脱自在に収納する有底筒状の外容器３と、外容器３の口部３ｂに着脱自在に螺着され、内装容器２を外容器３に固定する有頂筒状の肩カバー４と、を備えている。なお、図示の例では、内装容器２、外容器３、および肩カバー４それぞれの中心軸線は、共通軸上に配置されている。以下、この共通軸を容器軸Ｏといい、容器軸Ｏに沿う肩カバー４側を上側とし、外容器３側を下側とし、容器軸Ｏに直交する方向を径方向とし、さらに容器軸Ｏ回りの方向を周方向とする。
【００１５】
図１、図２に示すように、内装容器２は、内容物が収容される有底筒状の内容器１１（図２参照）と、内容器１１に装着される吐出器１２と、を備えている。
【００１６】
吐出器１２は、内容器１１内に収容された内容物を吐出する吐出部材１３、及びこの吐出部材１３を内容器１１に取り付ける取付キャップ１４を備えている。
取付キャップ１４は、容器軸Ｏ方向に延びる多段筒状に形成されており、上述した内容器１１の口部に螺着された装着筒１５と、装着筒１５の下端縁に連設された肩部材１６と、を備えている。
【００１７】
肩部材１６は、装着筒１５の下端縁から径方向の外側に向けて延在し、外容器３における口部３ｂの上端開口縁上に配置されるフランジ部１７と、フランジ部１７の外周部分から下方に向けて延在し、外容器３の口部３ｂ内に挿入される挿入筒１８（図２参照）と、を備えている。なお、本実施形態では、取付キャップ１４の肩部材１６が内装容器２の肩部を構成している。
【００１８】
フランジ部１７は、上述した内容器１１の胴部１１ａを上方から覆うように配設されている。また、フランジ部１７の外径は、内容器１１における胴部１１ａの外径に比べて大きくなっている。挿入筒１８は、外径がフランジ部１７よりも小さく形成され、かつ下方に向かうに従い漸次縮径されている。
【００１９】
図１、図２、図４に示すように、挿入筒１８の外周面には、径方向の外側に向けて突出する第１係合突部２１が周方向に間隔をあけて複数形成されている。これら第１係合突部２１は径方向から見た側面視で矩形状に形成されるとともに、下方に向かうに従い周方向に沿う長さが漸次縮小している。そして、第１係合突部２１における上端縁は、フランジ部１７の下面に連設されている。なお、本実施形態の各第１係合突部２１は、取付キャップ１４の挿入筒１８のうち、容器軸Ｏを径方向に挟む位置に各別に配設されている。
【００２０】
図１、図２に示すように、吐出部材１３は、容器軸Ｏと同軸に延びるとともに、取付キャップ１４内に固定された図示しない筒状の吐出器本体と、吐出器本体の上端部に装着された押下ヘッド２３と、を備えている。吐出器本体は、取付キャップ１４内及び内容器１１内に配設され、その内部に内容器１１内に収容された内容物が流通可能になっている。
押下ヘッド２３は、吐出器本体の上端部に上方付勢状態で配置され、装着筒１５の内側で容器軸Ｏ方向に沿って移動可能とされている。押下ヘッド２３には、吐出器本体内で流通する内容物を外部に吐出する吐出口２３ａが形成されている。
【００２１】
図１に示すように、外容器３の胴部３ａは、容器軸Ｏ方向に沿って延びる円筒形状に形成され、上述した内容器１１の胴部１１ａを径方向の外側から囲繞している。また、胴部３ａの上端開口縁には、上方に向けて開放された口部３ｂが形成され、この口部３ｂを通して外容器３内に内装容器２（内容器１１）が挿入される。口部３ｂは、胴部３ａに対して外径が縮小している。
【００２２】
また、口部３ｂには、径方向に貫き、かつ上方に向けて開口する第１係合凹部３１が周方向に間隔をあけて複数形成されている。これら第１係合凹部３１は、上述した第１係合突部２１を収容可能な大きさに形成されており、第１係合突部２１に対応して、外容器３の口部３ｂのうち、容器軸Ｏを径方向に挟む各位置に各別に形成されている。そして、第１係合突部２１が第１係合凹部３１内に収容（係合）されることで、外容器３に対する内装容器２の周方向への移動が規制される。
【００２３】
また、口部３ｂの外周面には、雄ねじ部３ｃが形成されている。雄ねじ部３ｃは、口部３ｂのうち、容器軸Ｏ方向において上述した第１係合凹部３１を回避した部分に、周方向の全体に亘って形成されている。すなわち、雄ねじ部３ｃは第１係合凹部３１により周方向に分断されている。
【００２４】
図１、図３に示すように、肩カバー４は、頂壁部３２及び螺着筒３３を備えている。
螺着筒３３の内周面には、雌ねじ部３３ａが形成され、口部３ｂの雄ねじ部３ｃに螺着されている。なお、肩カバー４が外容器３に装着された状態において、螺着筒３３の外面と外容器３における胴部３ａの外面とは面一に配置されている。
【００２５】
頂壁部３２における径方向の中央部には、容器軸Ｏ方向に沿って貫通する開口部３２ａが形成されており、この開口部３２ａ内に上述した吐出器１２の押下ヘッド２３及び装着筒１５が挿入されている。
【００２６】
また、頂壁部３２の下面における外周部分には、下方に向けて突出するリブ３４が全周に亘って形成されている。具体的に、リブ３４は、上述した肩部材１６におけるフランジ部１７の外周部分に容器軸Ｏ方向で重なるように配設されるとともに、容器軸Ｏ方向に沿う断面視で下方に向けて突の半円状に形成されている。リブ３４は、肩カバー４が外容器３に螺着された際、口部３ｂの上端開口縁との間で取付キャップ１４のフランジ部１７を容器軸Ｏ方向に挟持して、内装容器２を外容器３内に固定する。すなわち、本実施形態では、リブ３４の下端縁がフランジ部１７の上面に密接することで、フランジ部１７と頂壁部３２との間の摺動抵抗が低減されている。なお、リブ３４は、周方向に沿って間欠的に形成しても構わない。
【００２７】
ここで、図１、図４に示すように、上述した肩部材１６のうち、各第１係合突部２１の下端部には、雌ねじ部３３ａが係合する第２係合突部３５が径方向の外側に向けて突設されている。各第２係合突部３５は、径方向の外側から見た側面視において、雄ねじ部３ｃのねじ山の仮想延長線Ｌ上に位置している。図示の例では、各第２係合突部３５は、第１係合突部２１の下端縁に沿って周方向における第１係合突部２１の全体に亘って形成されている。
【００２８】
また、容器軸Ｏと、第２係合突部３５における径方向の外側端縁と、の径方向の距離Ｒ１は、容器軸Ｏと、雌ねじ部３３ａにおけるねじ山の頂部との径方向の距離Ｒ２（雌ねじ部３３ａの内径の半分）以上であって、螺着筒３３の内径未満になっている（Ｒ１＞Ｒ２）。本実施形態では、容器軸Ｏと第２係合突部３５との径方向の距離Ｒ１は、雄ねじ部３ｃの外径と同等になっており、容器軸Ｏ方向から見て雄ねじ部３ｃのねじ山と同一周上に第２係合突部３５が配設されている。
【００２９】
さらに、第２係合突部３５は、容器軸Ｏ方向に沿う断面視において、容器軸Ｏ方向に沿う長さ（幅）が雌ねじ部３３ａのピッチよりも小さく、雄ねじ部３ｃと同等になっている。また、第２係合突部３５の上端縁は、径方向の外側に向けて突の湾曲面に形成され、下端縁が径方向に沿う平坦面に形成されている。
【００３０】
次に、上述した二重容器１の作用について説明する、なお、以下の説明では、図２に示す内装容器２を外容器３にセットする際のセット方法について主に説明する。また、以下の説明では、肩カバー４を外容器３に螺着する際に、外容器３に対して肩カバー４を締め付け側Ａまたは緩み側Ｂへ回転させる場合について説明するが、肩カバー４に対して外容器３を締め付け側（前記締め付け側Ａとは反対側）へ回転させても構わない。
まず、図１に示すように、外容器３の口部３ｂから外容器３内に内装容器２を挿入する。これにより、内装容器２は、内容器１１が外容器３内に配設されるとともに、取付キャップ１４が外容器３の口部３ｂから上方に向けて突出した状態で外容器３内に収納される。なお、以下の説明では、第１係合突部２１が第１係合凹部３１に係合されていない状態、すなわち第１係合突部２１の下端縁が外容器３における口部３ｂの上端開口縁のうち、第１係合凹部３１の非形成部分上に乗り上がっている状態を例にして説明する。
【００３１】
次に、肩カバー４を外容器３に装着する。具体的には、押下ヘッド２３及び装着筒１５を肩カバー４の開口部３２ａ内に挿入しつつ、肩カバー４と外容器３とを容器軸Ｏ方向に沿って接近させることで、外容器３の口部３ｂ及び内装容器２の肩部材１６が肩カバー４に覆われる。
【００３２】
次に、肩カバー４を外容器３に対して前記締め付け側Ａへ回転させる。すると、例えば雌ねじ部３３ａにおける前記締め付け側Ａの端部が第２係合突部３５における前記緩み側Ｂの端部に係合したり、雌ねじ部３３ａにおける下端縁が第２係合突部３５の上端縁に係合したりすることによって、雌ねじ部３３ａと第２係合突部３５とが肩カバー４と内装容器２とが外容器３に対して前記締め付け側Ａに向けて共回りする。
【００３３】
そして、肩カバー４及び内装容器２の、外容器３に対する回転に伴い、内装容器２の第１係合突部２１が、外容器３における口部３ｂの上端開口縁の第１係合凹部３１の非形成部分上を摺動して、第１係合突部２１と第１係合凹部３１とが自然に係合することになる。これにより、内装容器２が外容器３内の正規の位置に収納される。
【００３４】
また、内装容器２が外容器３内の正規の位置に収納されることで、径方向の外側から見た側面視において、第２係合突部３５が雄ねじ部３ｃのねじ山の仮想延長線Ｌ上に配設される。すなわち、第２係合突部３５が、第１係合凹部３１によって周方向に分断された雄ねじ部３ｃのねじ山同士を架け渡した状態となり、雄ねじ部３ｃの一部を構成する。この状態で、肩カバー４を外容器３に対して前記締め付け側Ａへ回転させることで、肩カバー４の雌ねじ部３３ａが外容器３の雄ねじ部３ｃに螺着されるとともに、雌ねじ部３３ａと第２係合突部３５とが容器軸Ｏに係合される。
これにより、外容器３に対する肩カバー４の締め付け側Ａへの移動が規制され、二重容器１の組み付けが完了する。なお、本実施形態における第２係合突部３５と雌ねじ部３３ａとの係合は、上述した肩カバー４の回転時や装着時において、第２係合突部３５と雌ねじ部３３ａとが周方向や容器軸Ｏ方向に係合することとする。
【００３５】
また、内装容器２の交換作業時等、二重容器１の組み付けを解除する場合には、上述した動作と逆の動作を行う。すなわち、肩カバー４を外容器３に対して前記緩み側Ｂへ回転させることで、肩カバー４の雌ねじ部３３ａと外容器３の雄ねじ部３ｃとの螺着、及び雌ねじ部３３ａと第２係合突部３５との係合が解除される。その後、肩カバー４を外容器３から取り外し、外容器３から内装容器２を抜き出す。
そして、新たな内装容器２を外容器３にセットすることで、内装容器２の交換作業が終了する。
【００３６】
このように、本実施形態によれば、内装容器２を外容器３内に収納したときに、仮に第１係合突部２１が第１係合凹部３１に係合せず、外容器３の口部３ｂにおける第１係合凹部３１の非形成部分上に乗り上がっていたとしても、外容器３に肩カバー４を組み付ける過程において、第１係合突部２１と第１係合凹部３１とが自然に係合することになる。
これにより、外容器３内に内装容器２を確実にセットすることができ、内装容器２が外容器３内でがたつく等を防止できる。
【００３７】
さらに、このように肩カバー４及び内装容器２の、外容器３に対する回転に伴い、第１係合突部２１と第１係合凹部３１とが自然に係合することになるので、従来のように外容器３の切欠き部内に内装容器２の突部を保持させた状態で、外容器３内に内装容器２を収納させておく必要がなく、第１係合突部２１と第１係合凹部３１とを間単に係合させることができる。その結果、操作性を向上させた上で、外容器３内に内装容器２を確実にセットすることができる。
【００３８】
また、本実施形態では、第１係合突部２１と第１係合凹部３１とが係合すると、第２係合突部３５が、径方向の外側から見た側面視において、雄ねじ部３ｃのねじ山の仮想延長線Ｌ上に配設されるので、第２係合突部３５が外容器３の雄ねじ部３ｃの一部を構成することになり、第２係合突部３５を設けたことで外容器３に対する肩カバー４の着脱が阻害されてしまうのを防ぐことができる。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
例えば、上述した実施形態では、外容器３を有底筒状に形成した場合について説明したが、これに限らず、容器軸Ｏ方向の両側が開放されていても構わない。
また、上述した実施形態では、内容器１１に吐出器１２が装着された状態を内装容器２とし、肩部材１６（フランジ部１７）を内装容器２の肩部としたが、内容器１１の肩部を本発明の内装容器の肩部として構成しても構わない。
【００４１】
また、上述した実施形態では、外容器３の口部３ｂに第１係合凹部３１を、内装容器２のフランジ部１７に第１係合突部２１をそれぞれ形成する場合について説明したが、これに限らず、外容器３の口部３ｂに第１係合突部を、内装容器２のフランジ部１７に第１係合凹部を形成しても構わない。
【００４２】
また、上述した実施形態では、第１係合突部２１に第２係合突部３５を形成する構成について説明したが、これに限らず、第１係合突部２１または第１係合凹部３１と周方向で異なる位置に第２係合突部３５を形成しても構わない。
また、第２係合突部３５は、内装容器２の肩部のうち、第１係合突部２１の下端縁が外容器３における口部３ｂの上端開口縁のうち、第１係合凹部３１の非形成部分上に乗り上がっている状態において、非形成部分よりも上方に位置する部分に配設されていれば構わない。
【００４３】
さらに、上述した実施形態では、第２係合突部３５が、径方向の外側から見た側面視において、雄ねじ部３ｃのねじ山の仮想延長線Ｌ上に位置している場合について説明したが、これに限らず、第２係合突部３５と雌ねじ部３３ａとが係合する構成であれば構わない。
また、第２係合突部３５を仮想延長線Ｌに沿うように形成してもよく、仮想延長線Ｌと平行に形成しても構わない。
【００４４】
また、上述した実施形態では、第１係合突部２１と第１係合凹部３１とが係合していない状態で、肩カバー４を装着する場合について説明したが、これに限られない。
さらに、上述した実施形態では、各係合突部２１，３５及び第１係合凹部３１をそれぞれ二箇所ずつ形成する場合について説明したが、これに限らず、一箇所に形成しても３箇所以上の複数箇所に形成しても構わない。
【００４５】
また、上述した実施形態では、吐出器１２が、吐出部材１３を利用して内容物を吐出させる構成について説明したが、この際の吐出部材１３は、押下ヘッド２３を介して吐出器本体を押し下げることによって内容物を吸い上げ、吐出口２３ａから吐出させるものであれば公知のもので良く、例えば、内容物を加圧しながら吐出する加圧ポンプや、内容物を液状で吐出する液ポンプや、空気シリンダ及び空気ピストンを構成に加えて内容物を泡状に吐出するフォーマーポンプや、内容物を霧状に吐出するスプレーポンプであっても構わない。さらに、ポンプタイプの吐出器１２ではなく、エアゾールタイプの吐出器１２であっても本発明は適用可能である。
さらに、上述した実施形態では、ポンプタイプやエアゾールタイプの吐出器１２を備えた内装容器について説明したが、吐出器１２を有さない構成（ポンプタイプやエアゾールタイプ以外の構成）についても本発明は適用可能である。例えば、吐出孔を有する取付キャップを内容器１１に装着する等の構成にしても構わない。すなわち、本発明は肩部が形成された内装容器を有する種々の二重容器に適用可能である。
【００４６】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００４７】
１  二重容器
２  内装容器
３  外容器
３ｂ  口部
４  肩カバー
１１  内容器
１６  肩部材（内装容器の肩部）
１８  挿入筒
２１  第１係合突部
３１  第１係合凹部
３２  頂壁部
３５  第２係合突部
Ｌ  仮想延長線
Ｏ  容器軸
【図１】
2014005074.tif 000003
【図２】
2014005074.tif 000004
【図３】
2014005074.tif 000005
【図４】
2014005074.tif 000006